(57)【要約】      （修正有）【課題】筐体内の発光体からの光を、金属板からなる筐体外に透過させる複数の透光孔を配置して、光の透過を妨げることなく高い防水性が得られるようにする電子機器用筐体における表示部構造を提供する。【解決手段】発光体８からの光を筐体外に透過させて、筐体の外面に各種情報を表示する複数の透光孔を配置してなる表示部構造である。透光孔は、筐体の内面側となる金属ケースａの面に穿設される第１の孔部６ａと、筐体の外面側となる金属ケースａの面に第１の孔部６ａに連通し、第１の孔部６ａの開口内において微細な孔径にて穿設される多数の第２の孔部６ｂとから形成され、かつ、光に対する透過性を有する充填材９によって塞がれる。【選択図】図２
0003184761.tif 000002
【実用新案登録請求の範囲】
【請求項１】
金属板からなる筐体内に配置されている複数の発光体からの選択的な光を、筐体外に透過させて該筐体の外面に情報を表示する複数の透光孔を配置してなる電子機器用筐体における表示部構造であって、
前記透光孔は、前記筐体の内面側となる前記金属板の面に穿設される第１の孔部と、
前記筐体の外面側となる前記金属板の面に前記第１の孔部に連通し、該第１の孔部の開口内において微細な孔径にて穿設される多数の第２の孔部と、から形成され、
かつ、前記光の透過性を有する充填材によって塞がれていることを特徴とする電子機器用筐体における表示部構造。
【請求項２】
前記充填材は、前記透光孔の前記第１の孔部と前記第２の孔部との双方に充填される透過性に優れたエポキシ系樹脂であることを特徴とする請求項１に記載の電子機器用筐体における表示部構造。
【請求項３】
前記充填材は、筐体の外面側となる金属板の面と面一になるように充填条件が設定されて前記透光孔に充填されることを特徴とする請求項１または請求項２に記載の電子機器用筐体における表示部構造。
【請求項４】
前記筐体の外面側となる前記金属板の面に、前記透光孔群からなる表示部を含めて覆う塗膜をさらに備えていることを特徴とする請求項１に記載の電子機器用筐体における表示部構造。
【考案の詳細な説明】
【技術分野】
【０００１】
本発明は、携帯電話機や携帯型オーディオ機器などの電子機器を構成する金属板からなる筐体の表示部構造に係り、特に、筐体内からの光の透過によって各種情報を筐体の外面に表示する表示部構造に関する。
【背景技術】
【０００２】
近年、携帯電話機や携帯型オーディオ機器などの電子機器（携帯端末装置）では、金属板からなる筐体を用いて構成する傾向が多く見られるようになってきている。これは、金属特有の光沢から得られるなどによる美観、意匠性などの製品の高級感を求める上でプラスチックに比べて優れていること、また、製品の強度（耐久性）の確保、そして、筐体内に搭載される半導体素子の集積度が高くなり、小型薄型化が一段と進んでいる製品を製作する上でもプラスチックによりも有利であること、などの観点からである。【０００３】
そして、携帯電話機の場合では、筐体の内面に、発信時の相手の電話番号、電話帳、発信・着信履歴などの各種情報を表示する液晶表示装置などのメイン表示部を、そして、筐体の外面に、時刻、着信相手などの各種情報を表示するサブ表示部を備えている。例えば、２つの筐体、すなわち、表示部側筐体と操作部側筐体を折り畳み開閉可能に連結してなる折り畳み式携帯電話機の場合では、表示部側筐体と操作部側筐体を閉じた（折り畳んだ）状態で、時刻、日付、そして着信相手などからの各種情報を確認することができるように、表示部側筐体の外面（表面）にメイン表示部よりも小さいサブ表示部を備えていることが多い。【０００４】
そこで、光に対して透明性を有していない金属板からなる筐体を用い、この筐体内の予め定めた位置に配置されている複数の発光体からの光を筐体外に透過させる複数の貫通孔を設けて、時刻、日付、そして着信相手などからの各種情報など表示内容に応じて選択的に発光する発光体からのそれぞれの光が筐体外に透過することで、それらの光を視認することができるように構成されている携帯端末装置が知られている（例えば、特許文献１などを参照）。【０００５】
この特許文献１に記載の従来技術では、筐体内の発光体からの光を筐体外に透過させるための貫通孔を、筐体の外面側となる金属板の面に、人間の目には見えない孔径（開口径）の微細外面孔を、一方、筐体の裏面側（内面側）となる金属板の面には微細外面孔とは異なる孔径（開口径）にて該微細外面孔と連通する裏面孔を、それぞれの面側からのエッチング加工により穿設してなる孔構造としている。
【先行技術文献】
【特許文献】
【０００６】
【特許文献１】特開２０１０−９８６９３号公報（段落番号００１３、００１５、００１９、および図４〜図６参照）
【考案の概要】
【考案が解決しようとする課題】
【０００７】
しかしながら、従来技術の筐体内の発光体からの光を筐体外に透過させる貫通孔は、水や塵などが筐体内に入り込まないようにするための対策が何等施されていない内外開放状態にあるために、防水性などに問題がある。例えば、携帯電話機などの携帯端末装置を水に濡らしたり、誤って水中に落としてしまった場合などには内外開放状態にある貫通孔から筐体内に水が入り、筐体内の回路基板などの電気系統に故障を招く問題がある。【０００８】
また、貫通孔が内外開放状態であるが故に、筐体内の発光体からの光が、各種情報を表示する筐体の外面（表示面）にとどまることなく、貫通孔から筐体の外へと完全に通り抜けてしまうことなどから、各種情報の表示の鮮明性に欠け、筐体の外面に表示された各種情報が見難いものとなっているなどの問題がある。【０００９】
本発明は、このような問題を解消することを課題に創案されたものである。すなわち、金属板からなる筐体内の発光体からの光を、筐体外に透過させる複数の透光孔（貫通孔）を配置してなる電子機器用筐体の表示部構造であって、光の透過を妨げることなく高い防水性を付与すること、各種情報などを鮮明に表示し得るようにすること、などが本発明の目的である。
【課題を解決するための手段】
【００１０】
前記課題を解決するために、本発明に係る電子機器用筐体における表示部構造では少なくとも以下の構成を具備している。
金属板からなる筐体内に配置されている複数の発光体からの選択的な光を筐体外に透過させて、該筐体の外面に情報を表示するための複数の透光孔を配置してなる電子機器用筐体における表示部構造であって、
前記透光孔は、前記筐体の内面側となる前記金属板の面に穿設される第１の孔部と、前記筐体の外面側となる前記金属板の面に前記第１の孔部に連通し、該第１の孔部の開口内において微細な孔径にて穿設される多数の第２の孔部とから形成され、かつ、前記光の透過性を有する充填材によって塞がれていることを特徴とする。【００１１】
ここで、前記充填材は、前記透光孔の前記第１の孔部と前記第２の孔部との双方に充填される透過性に優れたエポキシ系樹脂であることが好適であり、このエポキシ系樹脂（ＥＰ）として、例えば、紫外線（ＵＶ）硬化樹脂を選択することがより一層好適なものとなる。
さらに、前記筐体の外面側となる前記金属板の面に、前記透光孔群からなる表示部を含めて覆う塗膜を備えていることが好適なものとなる。前記塗膜は、前記筐体の外面側となる前記金属板の面に下地層として直接塗布される接着層と、この接着層の上に塗布される着色層と、この着色層の上に塗布されるクリアー層との三層から所望の膜厚に形成されている。
【考案の効果】
【００１２】
本発明の金属板からなる電子機器用筐体における表示部構造によれば、筐体内の発光体からの光を筐体外に透過させて該筐体の外面に各種情報などを表示する透光孔は、透過性（透明性）を有する充填材によって塞がれていることで、水や塵などが透光孔から筐体内に入り込むことを防ぐことができる。
しかも、充填材は、発光体からの光の光度（表示機能）を低下させない優れた透過性を有するエポキシ系樹脂であることで、透光孔と透光孔が開口されていない部分とのコントラストにより各種情報などを視覚的に表示することができる。
これにより、筐体の外面に各種情報などを鮮明に表示するための発光体からの光の光度（表示機能）を低下させることなく、発光体が実装配置される回路基板などの電気系統の水や塵などによる故障を防ぐ防水性を付与することができる。つまり、近年の携帯電話機などの電子機器（携帯端末装置）に求められている防水性が得られる。【００１３】
また、本発明の表示部構造によれば、前記の作用効果に加えて、透光孔に充填材を充填するとき、筐体の外面から外部に飛び出す或いは孔内部の途中で止まることなく、筐体の外面と面一にて透光孔に充填されるように充填条件を設定してなることで、各透光孔の開口存在が分かり難く（見え難く）なる。つまり、充填材の面一充填によって、透光孔（多数の第１の孔部）と表示部側筐体の外面との一体化（一体感）が図られて、透光孔の開口存在が分かり難くなる。これにより、すっきりした外観とすることができる。【００１４】
また、本発明の表示部構造によれば、表示部の形成する多数の透光孔は、前記の充填材による防水作用に加えて、筐体の外面に塗布された着色用の塗膜によって覆われていることで、より高い防水性を表示部に付与することができる。つまりは、充填材と塗膜とに相乗作用によって携帯電話機などの電子機器（携帯端末装置）に求められている防水性がより一層強化された防水構造として表示部に付与することができる。
【図面の簡単な説明】
【００１５】
【図１】本発明の実施形態に係る表示部構造が適用された金属筐体からなる携帯電話機を一例として示す斜視図である。
【図２】同表示部構造における透光孔の孔構造を示す断面図である。
【図３】同表示部構造における透光孔の孔構造を変えた他の実施形態を示す断面図である。
【考案を実施するための形態】
【００１６】
以下、本発明の実施形態について、適宜図面を参照しながら詳細に説明する。
図１は、本発明の実施形態に係る表示部構造が適用された金属筐体からなる携帯電話機を一例として示す斜視図である。図２は、同表示部構造における透光孔の孔構造を示す断面図である。
電子機器としては、携帯電話機や携帯型オーディオ機器、その他の携帯端末装置などが挙げられる。本実施形態では、図１に示すように、その一例として携帯電話機を挙げて説明する。
【００１７】
≪携帯電話機の説明≫
携帯電話機Ａは、２つの筐体から折り畳み開閉可能に構成されている。すなわち、表示部側筐体１と操作部側筐体２を１軸または２軸ヒンジユニット３に折り畳み開閉可能に連結してなる。
【００１８】
≪表示部側筐体および操作部側筐体の説明≫
表示部側筐体１および操作部側筐体２は、詳細な構造について図示を省略しているが、例えば、ＳＵＳ板、Ａｌ板、Ｔｉ板などの金属板を用いた一連のプレス加工（打抜き、折り曲げ加工など）によって形成される金属ケースａと、合成樹脂材料やその他の材料を用いて形成されている図示省略の本体ケースとを重ね合わせ結合さることでそれぞれ形成される。
【００１９】
そして、表示部側筐体１と操作部側筐体２を閉じた（折り畳んだ）状態で、内側となる表示部側筐体１の内面側に、発信時の相手の電話番号、電話帳、発信・着信履歴などの各種情報を表示する液晶表示装置などのメイン表示部５を備え、外側となる表示部側筐体１の外面側には図１に示すように、本実施形態に係る表示部構造を適用させた時刻、日付、着信相手などの各種情報を視覚的に表示するサブ表示部４を備えている。一方、閉じた状態で内側となる操作部側筐体２の内面側には各種操作キーなどが配置されている図示省略の操作部を備えている。
【００２０】
サブ表示部４は、表示部側筐体１の金属ケースａに、図２に示す孔構造（孔形状）からなる複数の透光孔６をマトリックス状に穿孔配置することで、各種情報を表示するのに必要な広さ（大きさ）にて表示部側筐体１の外面（表面）に備えられる。
具体的に説明すると、図１（二点鎖線）および図２に示すように、表示部側筐体１にマトリックス状に穿孔配置される複数の透光孔６に対応して、表示部側筐体１内の回路基板７に同じくマトリックス状に実装配置される複数の発光体８、例えば、複数の発光ダイオード（ＬＥＤ）から選択的に発光される光が、対応する透光孔６から表示部側筐体１の外面（筐体外）に透過されるように備えられる。
【００２１】
≪透光孔の説明≫
透光孔６は、表示部側筐体１の内面側となる金属ケース（金属板）ａの面に穿設される第１の孔部６ａと、表示部側筐体１の外面側となる金属ケース（金属板）ａの面に第１の孔部６ａに連通し、該第１の孔部６ａの開口内（孔径内）において微細な孔径にて穿設される多数の第２の孔部（微細孔）６ｂとから形成される。
【００２２】
第１の孔部６ａは、表示部側筐体１の内面側となる金属ケースａの面側からのハーフエッチング加工などによって所望の孔径と深さにて表示部側筐体１の内面側に穿設される。
例えば、板厚が０．２〜０．５ｍｍの金属板、特に、０．３ｍｍの金属板を用いる場合、第１の孔部６ａは、孔径（開口径）が１．４ｍｍで、深さが０．１５ｍｍにて表示部側筐体１の内面側となる金属ケースａの面側からのハーフエッチング加工によって穿設される。
【００２３】
第２の孔部６ｂは、第１の孔部６ａの孔底から表示部側筐体１の外面側（表面側）となる金属ケースａの面に抜けるように、当該面側から第１の孔部６ａに向けたレーザー加工などによって微細な孔径にて表示部側筐体１の外面側に穿設される。
例えば、３０μｍ程度の孔径（開口径）にて表示部側筐体１の外面側となる金属ケースａの面側からの第１の孔部６ａに向けたレーザー加工によって穿設される。
つまり、板厚が０．３ｍｍの金属板を用い、深さが０．１５ｍｍの第１の孔部６ａに連通させる場合、第２の孔部６ｂは、孔径が３０μｍ程度で、深さ（第１の孔部６ａの孔底から金属ケースａの外面へ抜ける内外貫通長さ）が、第１の孔部６ａの深さ０．１５ｍｍと略同じ０．１５ｍｍにて表示部側筐体１の外面側となる金属ケースａの面側からの第１の孔部６ａに向けて穿設される。
【００２４】
そして、第２の孔部６ｂは、第１の孔部６ａの開口内（孔径内）において多数穿設される。例えば、第１の孔部６ａの孔径φが１．４ｍｍで、第２の孔部６ｂの孔径が３０μｍである場合、第２の孔部６ｂは、第１の孔部６ａの開口内において３９個穿設される。
これにより、発光体８から発光される光は、第１の孔部６ａから、第１の孔部６ａ開口内において３９個の各第２の孔部６ｂに分散されて表示部側筐体１の外面（筐体外）に透過されることとなる。
【００２５】
また、第２の孔部６ｂは、図２の拡大図に示すように、第１の孔部６ａとの連通側（光の入口側）における孔径φ１よりも表示部側筐体１の外面側（光の出口側）における孔径φ２を大径とする断面視で略逆向き円錐台状に形成されている。
このように、第２の孔部６ｂの孔貫通形態が、表示部側筐体１の内面側から外面側に向けて断面視で略逆向き円錐台状に形成されていることで、透光孔６のドット単位で選択的に発光する発光体８からの光は表示部側筐体１の外面（筐体外）に拡散透過される。つまり、第１の孔部６ａから第２の孔部６ｂへ光が入るときには集光され、第２の孔部６ｂから表示部側筐体１の外面に光が抜け出るときには拡散透過されることとなる。
これにより、ドット単位での透光孔６における光度（表示機能）が増加されたような雰囲気を表示部側筐体１の外面（表面）に得られて、透光孔６と透光孔６が開口されていない部分とのコントラストにより表示される各種情報が見易くなるなどの効果を期待することができる。
【００２６】
また、本実施形態では、前記詳述の孔構造（孔形状）にて表示部側筐体１の金属ケースａに穿設されて表示部側筐体１の外面にサブ表示部４を形成する各透光孔６を充填材９によって塞いでいる。
【００２７】
≪充填材の説明≫
ここでは、図２を適宜参照しながら説明する。
充填材９は、例えば、発光体８からの光の光度（表示機能）を低下させることなく、該光を表示部側筐体１の外面へと透過させることができる優れた透過性（透明性）を有するエポキシ系樹脂である。
本実施形態では、エポキシ系樹脂として、紫外線（ＵＶ）硬化樹脂を選択し、この紫外線硬化樹脂からなる充填材９を、図２に示す第１の孔部６ａと連通する多数の第２の孔部６ｂとの双方に表示部側筐体１の内面側となる金属ケースａの面側から充填することで、サブ表示部４を形成する各透光孔６に塞ぐ。
【００２８】
そして、本実施形態では、紫外線硬化樹脂からなる充填材９を各透光孔６に充填するとき、表示部側筐体１の外面（表面）と面一にて充填させるために、下記の充填条件によって行う。
充填条件
ａ．充填装置          ：サンエイテック社製ディスペンサ
ｂ．樹脂粘度          ：０．１〜１．３Ｐａ・ｓ
【００２９】
このような充填条件によって充填された充填材９により塞がれた複数の透光孔６からなるサブ表示部４を備える携帯電話機Ａによれば、水に濡らすことや誤って水中に落としてしまった場合などにおいて、サブ表示部４の各透光孔６から表示部側筐体１内に水などが入り込むことを防ぐ防水性を付与することができる。
そして、サブ表示部４の各透光孔６に防水性を付与する充填材９は、表示部側筐体１の外面（表面）よりも外部に飛び出す、或いは、外面よりも内側に凹むなどの充填不具合を引き起こすことなく、表示部側筐体１の外面と面一で各透光孔６に充填されていることで、各透光孔６の開口存在が分かり難く（見え難く）なる。つまり、充填材９の面一充填によって、透光孔６（多数の第１の孔部６ｂ）と表示部側筐体１の外面との一体化（一体感）が図られて、透光孔６の開口存在が分かり難くなる。これにより、表示部側筐体１の外面をすっきりしたシンプルな外観とすることができる。
【００３０】
また、各透光孔６を塞ぐ充填材９として、紫外線（ＵＶ）硬化樹脂を選択したことで、生産性の向上が図られる。つまり、紫外線硬化樹脂は、紫外線の光エネルギーに反応して樹脂が僅か数秒で硬化する特性を有しているため、乾燥のための時間が不要となり、効率良く製品を生産することができる。
【００３１】
また、本実施形態では、複数の透光孔６群からなるサブ表示部４を覆うように、表示部側筐体１の外面側となる金属ケースａの面に塗膜１０をさらに備えている。
【００３２】
≪塗膜の説明≫
ここでは、図２を適宜参照しながら説明する。
塗膜１０は、表示部側筐体１の外面に、商品としての意匠性や高級感などを付与する役目と、充填材９と協働してサブ表示部４の各透光孔６の防水性を図る役目を成す。
この塗膜１０は、図２の拡大図に示すように、表示部側筐体１の外面に下地層として直接塗布される接着層１０ａと、この接着層１０ａの上に塗布される着色層１０ｂと、この着色層１０ｂの上に塗布されるクリアー層１０ｃとの三層構造からなる。そして、この塗膜１０は、３０〜５０μの膜厚にて表示部側筐体１の外面に焼付け塗装法やその他の塗装法によって形成される。
着色層１０ｂとしては特に限定されるものではないが、例えば、ブラック、レッド、シルバー、ブルー、イエローなどの各種の色彩が挙げられる。
【００３３】
［作用説明］
つぎに、以上のように構成されている表示部構造が適用されたサブ表示部４を備える携帯電話機Ａについて簡単に説明する。
時刻、日付、着信相手などの各種情報が光の透過によって表示されるサブ表示部４の各透光孔６は、光の透過性を有する充填材９によって塞がれている。そして、充填材９は、発光体８からの光の光度（表示機能）を低下させないエポキシ系樹脂である。
これにより、透光孔６と透光孔６が開口されていない部分とのコントラストによりサブ表示部４に視覚的に表示される各種情報の低下、例えば、透光孔６を透過する光の光度が弱いために、表示内容が分かり難いなどの表示機能の低下を招くことなく、サブ表示部４の透光孔６から表示部側筐体１内に水などが入り込むことを防ぐ防水性が得られる。
【００３４】
また、透光孔６を塞ぐ充填材９として、エポキシ系樹脂を用い、このエポキシ系樹脂として、紫外線（ＵＶ）硬化樹脂を選択することで、透光孔６の第１の孔部６ａと多数の第２の孔部６ｂへと充填された樹脂が紫外線の光エネルギーに反応して僅か数秒で硬化することで、効率良く製品を生産することができる。
【００３５】
そして、透光孔６の穿孔配置に対向して表示部側筐体１内の回路基板７に実装配置されている発光体８が発光していないときには、サブ表示部４の存在が分からない。すなわち、表示部側筐体１の内面の第１の孔部６ａから表示部側筐体１の外面に抜ける第２の孔部６ｂは、例えば、孔径が３０μｍ程度という非常に小さな微細孔で、さらに、着色層１０ｂを有する塗膜１０によって覆われているために、発光体８が発光していないときには、サブ表示部４の透光孔６群は携帯電話機Ａの使用者などから分かり難い（見え難い）状態にある。
これにより、表示部側筐体１の外面には発光体８からの光の透過によって各種情報などが視覚的に表示される複数の透光孔６からなるサブ表示部４が備えられているにも拘わらず、発光体８が発光していないときにはサブ表示部４が分かり難いというすっきりしたシンプルな外観とすることができる。さらに、サブ表示部４を備えている表示部側筐体１の外観は、マトリックス状に穿孔配置されている複数の透光孔６のドット単位での存在が分かり難いことに加え、色彩から得られる装飾による一体感、そして美観、意匠性が格段に向上するなどによって高級感を引き出すことができる。
【００３６】
一方、発光体８が発光したときには、透光孔６の第１の孔部６ａから多数の第２の孔部６ｂを通過して表示部側筐体１の外面に光が透過される。つまりは、時刻、日付、着信相手などの各種情報が、表示部側筐体１のサブ表示部４に、エポキシ系樹脂からなる充填材９により得られる表示作用によって浮き上る（浮き出る）ように鮮明に表示されるために、各種情報が非常に見易くなる。
【００３７】
また、複数の透光孔６の集合配置からなるサブ表示部４は、表示部側筐体１の外面に備えられている塗膜１０によって覆われている。これにより、サブ表示部４の各透光孔６の防水作用は、充填材９と塗膜１０との相乗作用によってより一層強化される。つまりは、サブ表示部４の各透光孔６に、携帯電話機Ａを水に濡らした程度では勿論、ある程度の水深のある水中に携帯電話機Ａを誤って落としてしまった場合においても表示部側筐体１内に水が入り込むことを確実に防ぐことができる高い防水性が得られる。
【００３８】
［他の実施形態の説明］
図３は、表示部構造における透光孔の孔構造を変えた他の実施形態を示す断面図である。
この実施形態では、透光孔６の第２の孔部６ｂの孔貫通形態を変更している。その他の構成要素は前記実施形態と基本的に同じことから、同じ符合を付することで重複説明は省略する。
【００３９】
すなわち、図３に示すように、第２の孔部６ｂは、第１の孔部６ａとの連通側（光の入口側）における孔径φ１よりも表示部側筐体１の外面側（光の出口側）における孔径φ２を小径とする断面視で略円錐台状に形成されているものである。
この場合、第２の孔部６ｂは、表示部側筐体１の内面側となる金属ケースａの面側（第１の孔部６ａの孔底側）からの表示部側筐体１の外面側となる金属ケースａの面に向けたレーザー加工によって穿設される。
【００４０】
以上、本発明の実施形態の具体例を詳細に説明したが、前記詳述の実施形態は例示にすぎなく、特許請求の範囲を限定するものではない。特許請求の範囲に記載の技術事項には、本発明の要旨を逸脱しない範囲で設計変更などしたものであっても含まれるものである。
例えば、透光孔６を形成する第１の孔部６ａと第２の孔部６ｂのうち、その一方側のみを充填材９によって塞いで、防水性が得られるようにすることができる。
【００４１】
また、第１の孔部６ａと第２の孔部６ｂとの深さを変えることができる。例えば、第１の孔部６ａ側の深さよりも第２の孔部６ｂ側を深くするなど、深さを変えることができる。つまりは、孔穿孔個数や深さなどによる筐体の強度（剛性）低下を招くおそれがない許容範囲内において、任意に変更することができる。
【００４２】
また、発光体８の発光を選択的に点滅させるなどによって、サブ表示部４をイルミネーション表示部として活用することができる。つまり、サブ表示部４の透光孔６の各穿孔位置にそれぞれ対向して表示部側筐体１内に配置される各発光体８を、イルミネーション機能を有するように配置するなどによって、サブ表示部４をイルミネーション表示部として活用することができる。
【産業上の利用可能性】
【００４３】
本発明は、金属板からなる筐体内の複数の発光体と対向させた位置に筐体の内面側から外面側に抜ける多数の透光孔（貫通孔）を備え、透光孔と透光孔が開口されていない部分とのコントラストにより文字や絵柄などを発光体から発光される光によって視覚的に表示する表示部構造を備える携帯電話機や携帯型オーディオ機器などの各種電子機器（携帯端末装置）に防水性などを付与する上で有効に利用することができる。
【符号の説明】
【００４４】
Ａ      携帯電話機（電子機器）
ａ      金属ケース（金属板）
１      表示部側筐体
２      操作部側筐体
３      ヒンジユニット
４      サブ表示部（表示部）
６      透光孔
６ａ    第１の孔部
６ｂ    第２の孔部
８      発光体
９      充填材
１０    塗膜
【図１】
0003184761.tif 000003
【図２】
0003184761.tif 000004
【図３】
0003184761.tif 000005